(57)【要約】【課題】内容物を容易に取り出すことができる、新規な合成樹脂製の薄肉容器を提供する。【解決手段】本発明は、複数のシート材の側端部をそれぞれ密着させることで、その内側に内容物の充填空間が形成される薄肉の胴部1aと共に、当該胴部1aから底部1bを取り囲むように垂下する筒状部1cが形成され、当該筒状部1cの下端によって自立可能な薄肉のパウチ容器である。容器1は、筒状部1cの外側から筒状部1cに形成された第1開口部A1を通して内側に挿し込んだのち、第1開口部A1の上側に形成した第2開口部A2に引っ掛けて固定されるフック6を有し筒状部1cの外側に配置される本体5と、この本体5に揺動可能に連結されるグリップバー7とからなる把手Ｇ1を備え、グリップバー7が、胴部1aに設けたシール部2に沿って配置される収納姿勢と、胴部1aに設けたシール部2に対して外向きになるように配置される把持姿勢との間を揺動する。【選択図】図１
2010274997.tif 000002
【特許請求の範囲】
【請求項１】
薄肉の合成樹脂製の容器本体と、
この容器本体に固定される固定部を有し当該容器本体の外側に配置される本体と、この本体に揺動可能に連結されるグリップバーとからなる把手とを備え、
当該グリップバーが、容器本体の胴部に沿って配置される収納姿勢と、胴部に対して外向きになるように配置される把持姿勢との間を揺動することを特徴とする、把手付き合成樹脂製薄肉容器。
【請求項２】
請求項１において、固定部に第１の係止部を設ける一方、
グリップバーに、当該グリップバーを揺動させて収納姿勢にしたとき、第１の係止部に着脱可能な第２の係止部を設けたことを特徴とする、把手付き合成樹脂製薄肉容器。
【請求項３】
請求項１において、本体に第１の係止部を設ける一方、
グリップバーに、当該グリップバーを揺動させて収納したとき、第１の係止部に着脱可能な第２の係止部を設けたことを特徴とする、把手付き合成樹脂製薄肉容器。
【請求項４】
請求項１乃至３のいずれか１項において、固定部を、容器本体の外側から当該容器本体に形成された第１の開口部を通して内側に挿し込んで、第１の開口部の上側又は下側に形成した第２の開口部に引っ掛けて固定されるフックとしたことを特徴とする、把手付き合成樹脂製薄肉容器。
【請求項５】
請求項１乃至３のいずれか１項において、固定部は、本体にヒンジを介して一体に繋がり、容器本体の外側から当該容器本体に形成された第１の開口部を通して内側に挿し込んで、第１の開口部の上側又は下側に形成した第２の開口部を通して外部に突出させる屈曲部と、この屈曲部に設けた第３の係止部と、この第３の係止部が係止される本体に設けた第４の係止部とからなることを特徴とする、把手付き合成樹脂製薄肉容器。
【請求項６】
請求項１乃至５のいずれか１項において、容器本体が、複数のシート材の側端部をそれぞれ密着させることで、その内側に内容物の充填空間が形成されるものであって、固定部を２枚のシート材の側端部を密着させた、当該側端部の合せ面で固定したことを特徴とする、把手付き合成樹脂製薄肉容器。
【請求項７】
合成樹脂製薄肉容器に用いられる把手であって、
当該把手は、薄肉容器に固定される固定部を有し当該薄肉容器の外側に配置される本体と、この本体に揺動可能に連結されるグリップバーとを備え、
当該グリップバーが、薄肉容器の胴部に沿って配置される収納姿勢と、胴部に対して外向きになるように配置される把持姿勢との間を揺動し、
固定部が、薄肉容器の外側から当該薄肉容器に形成された第１の開口部を通して内側に挿し込んで、第１の開口部の上側又は下側に形成した第２の開口部に引っ掛けて固定されるフックであることを特徴とする、合成樹脂製薄肉容器用の把手。
【請求項８】
請求項７において、フックの先端に第１の係止部を設ける一方、
グリップバーに、当該グリップバーを揺動させて収納姿勢にしたとき、第１の係止部に着脱可能な第２の係止部を設けたことを特徴とする、合成樹脂製薄肉容器用の把手。
【請求項９】
合成樹脂製薄肉容器に用いられる把手であって、
当該把手は、薄肉容器に固定される固定部を有し当該薄肉容器の外側に配置される本体と、この本体に揺動可能に連結されるグリップバーとを備え、
当該グリップバーが、薄肉容器の胴部に沿って配置される収納姿勢と、胴部に対して外向きになるように配置される把持姿勢との間を揺動し、
固定部が、本体にヒンジを介して一体に繋がり、薄肉容器の外側から当該薄肉容器に形成された第１の開口部を通して内側に挿し込んで、第１の開口部の上側又は下側に形成した第２の開口部を通して外部に突出させる屈曲部と、この屈曲部に設けた第３の係止部と、この第３の係止部が係止される本体に設けた第４の係止部とからなることを特徴とする、合成樹脂製薄肉容器用の把手。
【請求項１０】
請求項９において、本体に第１の係止部を設ける一方、
グリップバーに、当該グリップバーを揺動させて収納したとき、第１の係止部に着脱可能な第２の係止部を設けたことを特徴とする、合成樹脂製薄肉容器用の把手。
【発明の詳細な説明】
【技術分野】
【０００１】
本発明は、薄肉の胴部を有しつつも、自立の可能な合成樹脂製容器において、内容物を容易に取り出すための技術に関するものである。
【背景技術】
【０００２】
合成樹脂製薄肉容器としては、例えば、複数のシート材で構成された、所謂パウチ容器と呼ばれるものがある（例えば、特許文献１参照）。
【先行技術文献】
【特許文献】
【０００３】
【特許文献１】特開２００５−２９１７７号公報
【発明の概要】
【発明が解決しようとする課題】
【０００４】
しかしながら、薄肉容器はその薄肉な胴部で変形を生じ易く、また、こうした変形は容器を開封したとき顕著である。このため、従来の薄肉容器では、例えば、内容量を増やして大型化させたとき、容器を開封した後、容器を傾けて内容物を取り出そうとしても、内容物が取り出し難い場合がある。
【０００５】
本発明の目的とするところは、内容物を容易に取り出すことができる、把手付き合成樹脂製薄肉容器及び、それに用いられる把手を提供することにある。
【課題を解決するための手段】
【０００６】
本発明である把手付き合成樹脂製薄肉容器は、薄肉の合成樹脂製の容器本体と、
この容器本体に固定される固定部を有し当該容器本体の外側に配置される本体と、この本体に揺動可能に連結されるグリップバーとからなる把手とを備え、
当該グリップバーが、容器本体の胴部に沿って配置される収納姿勢と、胴部に対して外向きになるように配置される把持姿勢との間を揺動することを特徴とするものである。
【０００７】
本発明によれば、固定部に第１の係止部を設ける一方、グリップバーに、当該グリップバーを揺動させて収納姿勢にしたとき、第１の係止部に着脱可能な第２の係止部を設けることができる。或いは、本発明によれば、本体に第１の係止部を設ける一方、グリップバーに、当該グリップバーを揺動させて収納したとき、第１の係止部に着脱可能な第２の係止部を設けることもできる。なお、係止部としては、例えば、互いに着脱可能に引っ掛かる突起同士や、一方が突起で他方が当該突起に着脱可能に引っ掛かる窪みからなるもの等が挙げられる。
【０００８】
また、本発明によれば、本体とグリップバーとが別体に軸支されたものとすることができる。或いは、本発明によれば、本体とグリップバーとをヒンジを介して一体に設けることもできる。
【０００９】
更に、本発明によれば、固定部としては、例えば、容器本体の外側から当該容器本体に形成された第１の開口部を通して内側に挿し込んで、第１の開口部の上側又は下側に形成した第２の開口部に引っ掛けて固定されるフックが挙げられる。或いは、固定部として、本体にヒンジを介して一体に繋がり、容器本体の外側から当該容器本体に形成された第１の開口部を通して内側に挿し込んで、第１の開口部の上側又は下側に形成した第２の開口部を通して外部に突出させる屈曲部と、この屈曲部に設けた第３の係止部と、当該第３の係止部が係止される本体に設けた第４の係止部とからなるものを採用することができる。上述の場合、例えば、容器本体が、薄肉の胴部と共に、当該胴部から底部を取り囲むように垂下する筒状部が形成され、当該筒状部の下端によって自立可能な容器であるときは、この筒状部に固定することができる。なお、筒状部は、胴部の一部として同径で垂下するものも含む。
【００１０】
即ち、容器本体が、所謂パウチ容器と呼ばれるもののように、複数のシート材の側端部をそれぞれ密着させることで、その内側に内容物の充填空間が形成されるものの場合、２枚のシート材の側端部を密着させた剛性の高い、所謂シール部分の合せ面で固定することが好ましい。また、上述のようなシール部分が存在するときには、固定部として、当該シール部分を挟み込む構成のものを採用することができる。さらに、この場合、薄肉の胴部と共に、当該胴部から底部を取り囲むように垂下する筒状部が形成されるときは、当該筒状部に固定させることができる。
【００１１】
また、本発明である、合成樹脂製薄肉容器用の把手は、合成樹脂製薄肉容器に用いられる把手であって、
当該把手は、薄肉容器に固定される固定部を有し当該薄肉容器の外側に配置される本体と、この本体に揺動可能に連結されるグリップバーとを備え、
当該グリップバーが、薄肉容器の胴部に沿って配置される収納姿勢と、胴部に対して外向きになるように配置される把持姿勢との間を揺動し、
固定部が、薄肉容器の外側から当該薄肉容器に形成された第１の開口部を通して内側に挿し込んで、第１の開口部の上側又は下側に形成した第２の開口部に引っ掛けて固定されるフックであることを特徴とするものである。
【００１２】
上述の把手によれば、フックの先端に第１の係止部を設ける一方、
グリップバーに、当該グリップバーを揺動させて収納姿勢にしたとき、第１の係止部に着脱可能な第２の係止部を設けることができる。
【００１３】
更に、本発明である、合成樹脂製薄肉容器用の把手は、合成樹脂製薄肉容器に用いられる把手であって、
当該把手は、薄肉容器に固定される固定部を有し当該薄肉容器の外側に配置される本体と、この本体に揺動可能に連結されるグリップバーとを備え、
当該グリップバーが、薄肉容器の胴部に沿って配置される収納姿勢と、胴部に対して外向きになるように配置される把持姿勢との間を揺動し、
固定部が、本体にヒンジを介して一体に繋がり、筒状部の外側から当該筒状部に形成された第１の開口部を通して内側に挿し込んで、第１の開口部の上側又は下側に形成した第２の開口部を通して外部に突出させる屈曲部と、この屈曲部に設けた第３の係止部と、この第３の係止部が係止される本体に設けた第４の係止部とからなることを特徴とするものである。
【００１４】
前記把手によれば、本体に第１の係止部を設ける一方、
グリップバーに、当該グリップバーを揺動させて収納したとき、第１の係止部に着脱可能な第２の係止部を設けることができる。
【発明の効果】
【００１５】
本発明によれば、内容物を取り出す際、グリップバーを外向きに開くように揺動させることで把持姿勢とすれば、グリップバーを把持することで、薄肉容器を直接把持することなく、当該薄肉容器の下側を基点に吊下げた状態に保持できるため、グリップバーを把持しない他方の手は、必要に応じて薄肉容器の胴部に添えるだけでよい。これにより、薄肉容器を直接把持することなく当該薄肉容器を傾けることができるから、内容物の取り出しが容易になる。
【００１６】
また、本発明によれば、内容物を取り出す前又は取り出した後は、グリップバーを内向きに閉じるように揺動させることで収納姿勢とすれば、グリップバーが邪魔になることがなく、コンパクトに収納することができる。即ち、グリップバーを使用しないときには、薄肉容器全体をコンパクトに保管することができる。
【００１７】
また、この場合、固定部に第１の係止部を設ける一方、グリップバーに、当該グリップバーを揺動させて収納姿勢にしたとき、第１の係止に着脱可能な第２の係止部を設ければ、グリップバーを確実に収納姿勢に維持できる。また、本体に第１の係止部を設ける一方、グリップバーに、当該グリップバーを揺動させて収納したとき、第１の係止部に着脱可能な第２の係止部を設けても同様である。
【００１８】
特に、固定部として、薄肉容器の外側から当該薄肉容器に形成された第１の開口部を通して内側に挿し込んで、第１の開口部の上側又は下側に形成した第２の開口部に引っ掛けて固定されるフックを採用すれば、固定部の一部が薄肉容器の内側に収納される。このため、グリップバーを使用しないときには、容器全体を更にコンパクトに保管することができる。
【００１９】
また、固定部として、本体にヒンジを介して一体に繋がり、薄肉容器の外側から当該薄肉容器に形成された第１の開口部を通して内側に挿し込んで、第１の開口部の上側又は下側に形成した第２の開口部を通して外部に突出させる屈曲部と、この屈曲部に設けた第３の係止部と、当該第３の係止部が係止される本体に設けた第４の係止部とからなるものを採用すれば、固定部の動きに対する自由度が増えるため、例えば、屈曲部の先端を本体に引っ掛けることで、より強固な固定が実現される。
【００２０】
また、薄肉容器として、複数のシート材の側端部をそれぞれ密着させることで、その内側に内容物の充填空間が形成されるものを用いた場合、上述の固定部を、２枚のシート材の側端部を密着させた、当該側端部の合せ面で固定すれば、２枚のシート材の側端部を密着させた剛性の高い合せ面で固定されるため、本体が強固に固定される。この場合、薄肉容器の内容量が大きい場合に有効である。また、薄肉の胴部と共に、当該胴部から底部を取り囲むように垂下する筒状部が形成されるときには、当該筒状部に固定することができる。この場合、固定部の一部を薄肉容器の内側に効果的に収納することができる。なお、筒状部は、胴部からの延長部位としてだけでなく、底部からの延長部位としても構成できる。
【図面の簡単な説明】
【００２１】
【図１】(a),(b)はそれぞれ、本発明の第１の形態である、パウチ容器を示す平面図及び側面図である。
【図２】同形態のパウチ容器から内容物を取り出す際に行われる操作を例示的に説明する側面図である。
【図３】同形態のグリップバーの操作を模式的に示す斜視図である。
【図４】本発明の第２の形態である、パウチ容器を示す側面図である。
【図５】(a)〜(c)はそれぞれ、同形態に係る、グリップバーの変形例を示す正面図、側面図及び背面図である。
【図６】(a),(b)はそれぞれ、本発明の第３の形態に係る、グリップバーを示す正面図及び側面図である。
【発明を実施するための形態】
【００２２】
以下、図面を参照して、本発明の一形態を詳細に説明する。
【００２３】
図１〜３は、本発明の第１の形態を示し、符号１は、合成樹脂製の複数のシート材を用い、これらシート材の側端部をそれぞれ密着させることで形成される、薄肉のパウチ容器である。パウチ容器１は、その内側に内容物の充填空間が形成される薄肉の胴部１ａと共に、当該胴部１ａから底部１ｂを取り囲むように垂下する筒状部１ｃが形成される。これにより、パウチ容器１は、筒状部１ｃの下端１ｅによって、自立させた状態で陳列等を行うことができる。
【００２４】
パウチ容器１には、２枚のシート材の側端部を密着させることで、その合せ面で構成されるシール部分２を有し、このシール部分２の合せ面で充填空間に通じるスパウト３が固定されている。なお、スパウト３には、図１に示すように、当該スパウト３に着脱可能なキャップ４が装着されている。
【００２５】
筒状部１ｃには、この筒状部１ｃに固定され、当該筒状部１ｃの外側に配置される本体５と、この本体５に揺動可能に連結され、使用者が把持するグリップバー７とからなる把手Ｇ1が設けられている。本形態では、本体５とグリップバー７とが別体に軸支されている。
【００２６】
具体例としては、グリップバー７に形成した凹部７ａの間にピン７ｂを掛け渡し、このピン７ｂを、本体５に形成した切り欠き５ａを通して回転孔５ｎに回転可能に保持させる。これにより、グリップバー７は、図１(b)の実線で示すように、胴部１ｂに対して軸線Ｏに沿ってほぼ平行になるように、或いは、胴部１ｂに設けた後述のシール部２に沿ってほぼ平行になるように配置される収納姿勢と、図１(b)の二点鎖線又は図２の実線で示すように、胴部１ｂに対して外向きになるように配置される把持姿勢との間を揺動することができる。
【００２７】
また、本体５は、筒状部１ｃの外側から当該筒状部１ｃに形成された第１の開口部Ａ1を通して内側に挿し込んで、第１の開口部Ａ1の上側に形成した第２の開口部Ａ2に引っ掛けて固定されるフック６を一体に有する。フック６は、本体５と共にグリップバー７を筒状部１ｃに固定するための固定部を構成する。
【００２８】
詳細には、フック６は、筒状部１ｃに形成された第１の開口部Ａ1を通り本体５に繋がる基部６ａと、この基部６ａの先端からシール部２に沿って上方に向かって延在する裏当て部６ｂと、この裏当て部６ｂの上端から筒状部１ｃに形成された第２の開口部Ａ2を通って筒状部１ｃの外側に突出する爪部６ｃとで構成されている。
【００２９】
これにより、グリップバー７は、本体５に設けたフック６を筒状部１ｃに形成した第１の開口部Ａ1及び第２の開口部Ａ2を通すだけの簡単な作業で、パウチ容器１に固定される。なお、本形態では、第１の開口部Ａ1及び第２の開口部Ａ2をそれぞれ、２枚のシート材の側端部を密着させた剛性の高い、シール部分２の合せ面で形成する。また、本形態では、第１の開口部Ａ1は、シート材の側端部１１ｓの相互間を下端に至るまで離間させた切り欠き状をなし、また、第２の開口部Ａ2は、シート材の側端部１１ｓの局所的に離間させた貫通孔をなす。但し、本発明に従えば、第１の開口部Ａ1も、第２の開口Ａ2と同様、シート材の側端部１１ｓの局所的に離間させた貫通孔をなすものとすることができる。
【００３０】
また、本形態では、フック６の先端部位６ｅに第１の係止部Ｃ1を設ける一方、グリップバー７に、このグリップバー７を揺動させて収納姿勢にしたとき、図１(b)に示すように、第１の係止部Ｃ1に着脱可能な第２の係止部Ｃ2が設けられている。本形態では、係止部Ｃ1,Ｃ2としてそれぞれ、互いに着脱可能に引っ掛かる突起を採用しているが、本発明に従えば、これに限定されるものではなく、例えば、一方が突起で他方が当該突起に着脱可能に引っ掛かる窪みからなるもの等も採用できる。これにより、グリップバー７をフック６まで揺動させて第１の係止部Ｃ1と第２の係止部Ｃ2とを引っ掛けて固定すれば、グリップバー７の揺動を防止することができる。
【００３１】
本形態によれば、内容物を取り出す際、図１(b)の二点鎖線で示すように、グリップバー７を外向きに開くように揺動させることで把持姿勢とすれば、グリップバー７を把持することで、パウチ容器１を直接把持することなく、図２に示すように、当該パウチ容器１の下側（筒状部１ｃ側）を基点に吊下げた状態に保持できるため、グリップバー７を把持しない他方の手は、必要に応じてパウチ容器１の胴部１ａ（シール部２）に添えるだけでよい。これにより、パウチ容器１を直接把持することなく、図２に示すように、当該パウチ容器１を傾けることができるから、内容物の取り出しが容易になる。
【００３２】
また、本形態によれば、内容物を取り出す前又は取り出した後は、グリップバー７を内向きに閉じるように揺動させることで、図１(a)の実線で示すように、収納姿勢とすれば、グリップバー７が邪魔になることがなく、コンパクトに収納することができる。即ち、グリップバーを使用しないときには、パウチ容器１全体をコンパクトに保管することができる。
【００３３】
また、この場合、フック６の先端に第１の係止部Ｃ1を設ける一方、グリップバー７に、当該グリップバー７を揺動させて収納姿勢にしたとき、第１の係止部Ｃ1に着脱可能な第２の係止部Ｃ2を設ければ、グリップバーを確実に収納姿勢に維持できる。
【００３４】
また、本発明によれば、本形態の如く、本体５とグリップバー７とを別体に軸支することができる。
【００３５】
また、本形態では、本体５を固定するにあたり、筒状部１ｃの外側から当該筒状部１ｃに形成された第１の開口部Ａ1を通して内側に挿し込んで、第１の開口部Ａ1の上側に形成した第２の開口部Ａ２に引っ掛けて固定されるフック６を採用したことで、図１(b)等に示すように、固定部の一部が筒状部１ｃの内側に収納される。このため、グリップバー７を使用しないときには、図１に示すように、パウチ容器１全体を更にコンパクトに保管することができる。
【００３６】
また、本形態のように、薄肉容器として、パウチ容器を用いた場合、上述の固定部を、２枚のシート材の側端部を密着させた、当該シール部２の合せ面で固定すれば、２枚のシート材の側端部を密着させた剛性の高い合せ面で固定されるため、本体５が強固に固定される。この場合、パウチ容器１の内容量が大きい場合に有効である。
【００３７】
図４及び５は、本発明の第２の形態を示し、第１の形態と同一部分は同一符号をもって、その説明を省略する。
【００３８】
本形態では、筒状部１ｃに固定される本体１５とグリップバー１７とをヒンジ１８を介して一体に設けることで、把手Ｇ2を構成する。ヒンジ１８としては、例えば、図４，５に示すように、本体１５とグリップバー１７との間に間隔を持たせる帯状の部位を採用することができる。これにより、グリップバー１７は、第１の形態と同様、図４の実線で示すように、胴部１ａに沿って配置される収納姿勢と、図４の二点鎖線で示すように、胴部１ａに対して外向きになるように配置される把持姿勢との間を揺動することができる。なお、グリップバー１７の上端付近には、滑り止め用膨出部１７ａが一体に設けられている。
【００３９】
また、本体１５は、第１の形態と同様、筒状部１ｃの外側から第１の開口部Ａ1を通して内側に挿し込んで、第２の開口部Ａ2を通して外部に突出させる屈曲部１６を有する。屈曲部１６は、第１の開口部Ａ1を通り本体５に繋がる基部１５ａと、ヒンジ１８を介して一体に繋がる。
【００４０】
ヒンジ１８としては、例えば、図４，５に示すように、基部１５ａと屈曲部１６との間に間隔を持たせる帯状の部位を採用することができる。屈曲部１６は、図４に示すように、その長手方向部位１６ａが第２の開口部Ａ2を通って筒状部１ｃの外側に突出する。
【００４１】
加えて、本形態では、本体１５の上端には、図５(a)に示すように、溝Ｄが形成されている。溝Ｄは、図５(a)に示すように、本体１５の屈曲部１６側側面とグリップバー１７側側面との両側面が解放されるような切り欠き形状をなす。
【００４２】
更に詳細には、溝Ｄは、グリップバー１７側の領域の溝部分Ｄ16は、図４の破線に示すように、屈曲部１６がヒンジ１６ｂを基点に折り曲がったとき、長手方向部位１６ａが収納されるように形作られている。また、長手方向部位１６ａの先端には、図４の実線に示すように、第３の係止部Ｃ3が設けられている一方、溝部分Ｄ16には、屈曲部１６を揺動させて長手方向部位１６ａを溝部分Ｄ16に収納したとき、この長手方向部位１６ａに設けた第３の係止部Ｃ3が係止される第４の係止部Ｃ4が設けられている。
【００４３】
本形態では、第３の係止部Ｃ3として、図４や図５に示すように、本体１５に向かって突出する爪部を採用し、また、第４の係止部Ｃ4として、第３の係止部Ｃ3が着脱可能に引っ掛かる溝部分Ｄ16の底壁に形成された段差を採用している。これにより、長手方向部位１６ａを本体１５の溝Ｄ16に収納するように屈曲部１６を揺動させて第３の係止部Ｃ3と第２の係止部Ｃ4とを引っ掛けて固定すれば、パウチ容器１にグリップバー７と共に固定することができる。なお、本発明に従えば、係止部Ｃ3，Ｃ4は、上述の構成に限定されるものではない。
【００４４】
このため、本形態では、爪部１６ｃの左右の側面に、突起１６ｄを設け、これに対応するように溝Ｄ16の側壁を一部拡大させることで、当該突起１６ｄがそれぞれ嵌合する嵌合溝部Ｄ16dが形作られている。この場合、突起１６ｄが第３の係止部Ｃ3として、また、嵌合溝部Ｄ16dが第４の係止部Ｃ4として機能する。但し、本発明に従えば、段差と突起からなる係止部Ｃ3，Ｃ4と、突起１６ｄと嵌合溝部Ｄ16dからなる係止部Ｃ3，Ｃ4との少なくともいずれか一方が設けられていればよい。
【００４５】
また、溝Ｄは、グリップバー１７側の領域の溝部分Ｄ17は、図４の破線に示すように、グリップバー１７が収納姿勢のとき、グリップバー１７に設けたリブ１７ｂを収納するように形作られている。また、溝部分Ｄ17の側壁には、第１の係止部Ｃ1が設けられている一方、リブ１７ｂには、図４の実線に示すように、当該グリップバー１７を揺動させて収納したとき、第１の係止部Ｃ1に着脱可能な第２の係止部Ｃ2が設けられている。これにより、グリップバー１７を本体１５まで揺動させて第１の係止部Ｃ1と第２の係止部Ｃ2とで固定すれば、グリップバー７の揺動を防止することができる。なお、本形態でも、係止部Ｃ1,Ｃ2としてそれぞれ、互いに着脱可能に引っ掛かる突起を採用しているが、本発明に従えば、これに限定されるものではなく、例えば、一方が突起で他方が当該突起に着脱可能に引っ掛かる窪みからなるもの等も採用できる。
【００４６】
本形態の如く、固定部として、本体１５にヒンジ１６ｂを介して一体に繋がり、筒状部１ｃの外側から第１の開口部Ａ1を通して内側に挿し込んで、第１の開口部Ａ1の上側に形成した第２の開口部Ａ2を通して外部に突出させる屈曲部１６と、この屈曲部１６の長手方向部位１６ａに設けた第３の係止部Ｃ3と、この第３の係止部Ｃ3が引っ掛かる本体に設けた第４の係止部Ｃ4とからなるものを採用すれば、固定部の動きに対する自由度が増えるため、上述のとおり、長手方向部位１６ａの先端に設けた第３の係止部Ｃ3を本体１５に設けた第４の係止部Ｃ4に引っ掛けることで、より強固な固定が実現される。
【００４７】
図６は、本発明の第３の形態である把手Ｇ3を示す展開図である。本形態は、上述の第１の形態と第２の形態とを組み合わせた変形例としてなる。即ち、本形態は、第２の形態に係る本体１５の固定部として、第１の形態に係るフック６を採用したものである。これにより、グリップバー１７は、ヒンジ１８を基点に揺動し、パウチ容器１には、その第１の開口部Ａ1から第２の開口部Ａ2にフック６を通すことで固定される。即ち、本形態では、把手Ｇ3をパウチ容器１に固定する際には、第１の形態の如く行われ、グリップバー１７は、第２の形態のように機能する。
【００４８】
上述したところは、本発明の一形態を示したに過ぎず、特許請求の範囲内において、種々の変更を加えることができる。また、上述の各形態に採用された各構成はそれぞれ、互いに適宜組み合わせることができる。
【産業上の利用可能性】
【００４９】
本発明は、パウチ容器に限定されることなく、自立のための筒状部を有する薄肉容器であれば、一体成形の容器に採用することができる。
【符号の説明】
【００５０】
１    パウチ容器（薄肉容器）
１ａ  容器胴部
１ｂ  容器底部
１ｃ  筒状部
２    シール部
３    スパウト
４    キャップ
５    本体
６    フック（固定部）
６ａ  フック基部
６ｂ  裏当て部
６ｃ  爪部
７    グリップバー
７ａ  グリップバー側本体収納用凹部
７ｂ  グリップバー側ピン
１５    本体
１６    屈曲部
１６ａ  長手方向部位
１７    グリップバー
１７ａ  滑り止め用膨出部
１８    ヒンジ
Ｃ1     グリップバー固定用係止部
Ｃ2     グリップバー固定用係止部
Ｃ3     把手固定用係止部
Ｃ4     把手固定用係止部
Ｇ1     把手（第１の形態）
Ｇ2     把手（第２の形態）
Ｇ3     把手（第３の形態）
【図１】
2010274997.tif 000003
【図２】
2010274997.tif 000004
【図３】
2010274997.tif 000005
【図４】
2010274997.tif 000006
【図５】
2010274997.tif 000007
【図６】
2010274997.tif 000008